Podtech/llm-jp-corpus-v4-ja_patent huggingface dataset:
(57)【要約】      （修正有）【課題】パソコンに数値の入力がしやすく簡単で疲れにくく、誤りも減り、効率が良くなるマウスを提供する。【解決手段】マウス本体１の前端部に上下の幅を狭めた左クリック２と右クリック３を取り付けて、マウス本体１の前方部に、テンキー部４とエンターキー５とバックキー６とデリートキー７とスクロールボタン８の、パソコンに数値を入力するのに必要な全てを取り付けることによって、マウスを持った右手と右手の指だけでパソコンに数値を入力できるようにする。【選択図】図１
0003195451.tif 000002
【実用新案登録請求の範囲】
【請求項１】
パソコンに数値を入力するという行為を、マウスだ
けで行えるようにするために、マウス本体の前端部に
上下の幅を狭めた左クリックと右クリックを取り付け
て、マウス本体の前方部に、テンキー部とエンターキ
ーとバックキーとデリートキーとスクロールボタンを
取り付けて、マウスを持った右手と右手の指だけで、
パソコンに数値を入力することができるようにしたこ
とを特徴とするマウス。
【考案の詳細な説明】
【技術分野】
【０００１】
この考案は、パソコンに数値を入力する際に、パソ
コンとマウスの間を何度も往復する手間を省くために
、マウスを持った右手と右手の指だけでパソコンに数
値を入力できるようにして、パソコンに簡単に数値を
入力できるようにしたマウスに関するものである。
【背景技術】
【０００２】
パソコンの進歩で、マウスとキーボードやパソコン
本体やディスプレイを互いに繋ぐコードが無くなり、
非常に使いやすくなった。しかし、マウスの働きとし
てはあまり変化がなかった。
【０００３】
しかし、マウスにテンキー部を搭載すると共に、マ
ウスの後端よりモード切替スイッチを突出させて設け
て、マウスを持ったままで数値を入力するするという
発明がされている。
【０００４】
この発明では、従来のマウスの働きとテンキー入力の
働きには切替えが必要で、その切替えスイッチがマウ
スの後端に突出して設けられており、マウス入力とテ
ンキー入力のたび毎に、切替スイッチに触る必要があ
るので操作が面倒である。
【先行技術文献】
【特許文献】
【０００５】
【特許文献１】特許公開2007-323444
【考案の概要】
【考案が解決しようとする課題】
【０００６】
この考案が解決しようとする問題点は、従来のマウ
スでは各種の多くの数値を入力する際に、右手でマウ
スとキーボードの間を何度も往復する必要があるので
面倒であった点の解消と、テンキー部を搭載したマウ
スのマウスモードとテンキーモードの切替えに、いち
いち切替スイッチを操作しなくてはならないという煩
わしさの解消である。
【０００７】
パソコンに多くの数値を入力する際、マウスで入力
する場所を決めてキーボードのテンキー部で数値を入
力し、エンターキーで確定してからマウスで次の入力
場所をさがして決めて、またキーボードのテンキー部
で数値を入力し、エンターキーを押すという動作が必
要で、この数値を入力する場所が色々な場所であった
り、その数が大量であると非常に煩わしい。
【課題を解決するための手段】
【０００８】
現在使用されているマウスの、左クリックと右クリ
ックのボタンの上下の幅を狭くして、マウスの前端部
に取り付け、テンキー部とエンターキーとバックキー
とデリートキーに加えて、スクロールボタン等の全て
をマウス本体の前方に取り付けて、マウスを持ったま
まで、左クリックや右クリックや、数値入力の場所を
指定してそこに数値を入力して確定したり、取り消し
たりなどの色々な作業を、パソコンのキーボードのテ
ンキー部とマウスの間何度も往復する必要が無くて、
マウスを持った右手と右手の指だけでできるようにし
たことを最も主要な特徴とする。
【考案の効果】
【０００９】
この考案のマウスは、パソコンに数値を入力するた
めのキーが全てあるので、右手と右手の指だけで数値
が入力でき、マウスモードとテンキーモードの切替も
必要が無い。そこで、パソコンに数値を入力する際に
もパソコンのキーボードのテンキー部と、マウスの間
を何度も往復する必要が無いので、パソコンに数値の
入力がしやすく簡単で疲れにくく、誤りも減るので効
率が良くなる。
【図面の簡単な説明】
【００１０】
【図１】図１はこの考案を、コードレスマウスに実施した場合の平面図である。(実施例１)
【考案を実施するための形態】
【００１１】
マウスを持った右手と右手の指だけで、パソコンに
数値を入力するという目的を、左クリック、右クリッ
ク、テンキー部、エンターキー、バックキー、デリー
トキーとスクロールボタンの全てをマウスの前方部に
設けることで実現した。
【実施例１】
【００１２】
図１は、この考案をコードレスマウスに実施した場
合の平面図であって、図中、１はコードレスマウスの
本体であって、この前端部には、上下の幅を狭くした
２の左クリックと３の右クリックが取り付けてある。
コードレスマウス本体１の前方部には、４のテンキー
部と５のエンターキーと、６のバックキーと、７のデ
リートキーと８のスクロールボタンがそれぞれ取り付
けてある。
【００１３】
４〜７の全てのキーは、キーボードのそれぞれのキ
ーと同じ働きをするようにしてあるので、パソコンに
数値を入力する際に、パソコンのキーボードとマウス
の間を何度も往復する必要が無いので、入力作業が楽
になり作業効率も上昇する。
【産業上の利用可能性】
【００１４】
マウス本体の前端部や前方部に、パソコンに数値を
入力するための全てのキーやボタンを取り付けてある
ので、パソコンに数値を入力する際に、パソコンのキ
ーボードとマウスの間を何度も往復しないで、マウス
を右手で持ったままで指を動かして数値を入力するす
ることができるので便利である。
【符号の説明】
【００１５】
１      コードレスマウス本体
２      左クリック
３      右クリック
４      テンキー部
５      エンターキー
６      バックキー
７      デリートキー
８      スクロールボタン
【図１】
0003195451.tif 000003
(57)【要約】      （修正有）【課題】洗濯時に靴下が丸まり、洗浄が不十分になることを防ぎ、洗濯後に多様な洗濯物の中から靴下を容易に見つけられるとともに、履きづらくなることを解消する、靴下が丸まらない為の型板を提供する。【解決手段】型板１は外縁を形成する枠１０と、枠１０の内側に配置され、網状に形成された網部２０と、を備える。型板１の指先部分を５本指形状に形成してもよい。この場合、型板１の指先部を五本指靴下に挿入すると、五本指靴下の指先部分が丸まらず、五本指形状のまま洗濯、乾燥、収納できるので指先部分の清潔を保ち、五本指靴下を履くときに容易に足指を挿入できる。また一対の型板１を同色にし、各対の型板１を色違いにすることで、洗濯後の靴下整理の時に、靴下のペアを合わせることを容易にする。【選択図】図２
0003195453.tif 000002
【実用新案登録請求の範囲】
【請求項１】
靴下の洗濯時に使用される型板であって、足の裏の形状に外形が形成され、靴下の足が配置される部分に挿入され、挿入された状態で靴下を洗濯可能な型板。
【請求項２】
外縁を形成する枠と、枠の内側に配置され、網状に形成された網部とを備える請求項１に記載の型板。
【考案の詳細な説明】
【技術分野】
【０００１】
この考案は、靴下の洗濯時に使用される型板に関するものである。
【背景技術】
【０００２】
靴下を洗濯機で洗濯すると、洗濯機の中で小さく丸まってしまい、取り出し時に見つけづらい。また、同じものを探す時もそのつど丸まった靴下を伸ばしながら探すことになり、洗濯収納時に面倒である。また履くときも丸まった靴下を伸ばしながら履くのは履きづらい。
【０００３】
そこで、一つの袋体に一対の靴下を入れ、そのままの状態で、洗濯時から、物干し、整理時まで、整理したり履いたりする時、その都度、探す手間を失くす靴下用多目的袋が提案されている。
【先行技術文献】
【特許文献】
【０００４】
【特許文献１】特開2013-52213号公報
【考案の概要】
【考案が解決しようとする課題】
【０００５】
しかしながら、特許文献１の靴下用多目的袋は洗濯時に袋体の中に靴下が丸まり、はきづらくなる場合があった。
【０００６】
本考案は、洗濯後に多様な洗濯物の中から靴下を容易に見つけられるとともに、靴下が丸まらない型板を提供することを目的とする。
【課題を解決するための手段】
【０００７】
靴下の洗濯時に使用される型板であって、足の裏の形状に外形が形成され、靴下の足が配置される部分に挿入され、挿入された状態で靴下を洗濯可能な型板。
【０００８】
外縁を形成する枠と、枠の内側に配置され、網状に形成された網部と、を備える請求項１に記載の型板
【考案の効果】
【０００９】
本考案によれば、洗濯後に多様な洗濯物の中から靴下を容易に見つけられるとともに、靴下が丸まらない型板を提供できる。
【図面の簡単な説明】
【００１０】
【図１】本考案の実施形態に係る型板1の使用状態を示す図である。
【図２】前記実施形態に係る型板1の平面図である。
【考案を実施するための形態】
【００１１】
型板1は、靴下100の洗濯時に使用され、耐水性の素材（例えば、樹脂等）で形成され、足の裏の形状に外形が形成され、靴下100の足が配置される部分に挿入され、挿入された状態で靴下100を洗濯可能にする。
【００１２】
型板1は外縁を形成する枠10と、枠10の内側に配置され、網状に形成された網部20と、を備える。
【００１３】
型板1の指先部分を５本指形状に形成してもよい。この場合、型板1の指先部を五本指靴下に挿入すると、五本指靴下の指先部分が丸まらず、五本指形状のまま洗濯、乾燥、収納できるので指先部分の清潔を保ち、五本指靴下を履くときに容易に足指を挿入できる。また一対の型板1を同色にし、各対の型板1を色違いにすることで、洗濯後の靴下整理の時に、靴下100のペアを合わせることを容易にする。
【符号の説明】
【００１４】
１  型板
１０  枠
２０  網部
１００  靴下
【図１】
0003195453.tif 000003
【図２】
0003195453.tif 000004
(57)【要約】      （修正有）【課題】変形による接点圧の低下を抑制して接点接触抵抗の増加を抑えることができる自動車等のコネクタ接点部品を提供する。【解決手段】接点部品移動防止ロック用の窓１０を加工した熱収縮チューブを金属の接点部品に被せて、熱収縮チューブを装着した接点部品３とする。これにより振動による接点圧の変化を抑制できる。【選択図】図３
0003195441.tif 000002
【実用新案登録請求の範囲】
【請求項１】
コネクタ接点部品のメス部に用いる接点部品において、熱収縮チューブを接点部品に被せたことを特徴とした熱収縮チューブ装着の接点部品である。
【請求項２】
コネクタ接点部品のメス部に用いる接点部品において、前記コネクタ部品の接点部品移動ロック用のロック片がロック可能とした窓を設けた熱収縮チューブを接点部品に被せたことを特徴とした熱収縮チューブ装着の接点部品である。
【考案の詳細な説明】
【技術分野】
【０００１】本考案は、振動により自動車等に用いるコネクタの接点部品の接点の接触抵抗が増加するのを抑えるための接点部品に関するものである。
【背景技術】
【０００２】図２は従来の接点部品であり、金属の接点部品のみで構成されている。【０００３】しかしながら、時々振動により接点圧が低下して接点の接触抵抗が増加する欠点があった。
【考案の概要】
【考案が解決しようとする課題】
【０００４】本考案は、以上のような従来の欠点に鑑み、接点部品変形による接点圧の低下を抑制して接点接触抵抗の増加を抑えるようにした。
【課題を解決するための手段】
【０００５】上記目的を達成するために、熱収縮チューブを接点部品のメス部に被せ、熱を外部から加えることにより、熱収縮チューブ装着の接点部品とした。
【考案の効果】
【０００６】上述のように、本考案にあっては、次に挙げる効果が得られる。
振動による接点圧の低下が抑えられ、接点の接触抵抗の増加現象が減少して、「なんとなく調子が悪い」と言った不具合が減り製品の品質向上が図られる。
【図面の簡単な説明】
【０００７】
【図１】接点部品移動防止のロック機能が使えるよう窓部分を加工した熱収縮チューブの斜視図である。
【図２】従来の金属のみの接点部品（メス部）の斜視図である。
【図３】熱収縮チューブを被せた接点部品（メス部）の斜視図である。
【図４】熱収縮チューブを被せた接点部品（メス部）を配線ケーブルへ接続した斜視図である。
【図５】接点部品を実装するコネクタ内部の図である。
【考案を実施するための形態】
【０００８】図１、図３に示すように熱収縮チューブに接点部品移動防止のロック機能が使えるよう窓口部分を加工して、それを金属の接点部分に被せ、外部から熱を加えて密着させ熱収縮チューブを装着した接点部品となる。それをケーブルに接続した図が図４である。
【実施例】
【０００９】本考案の実施の形態を図１〜図５を用いて説明する。
先ずは、従来の接続部品２について説明する。図２は従来の接点部品であり、接点部品２は、実装するコネクタに組み込んで使用される。コネクタ５には、接点部品２をロックするためのロック片６を有し、接点部品には、ロック片が挟み込まれるように矩形状の窓９を有し、コネクタ５として利用される。
図１は、本考案に用いる熱収縮チューブ１であり、従来の接点部品２に示す窓９と同サイズの窓８をを設けた構造である。
図３は、本考案の接点部品３を示した図であり、図３に示すように接点部品は、熱収縮チューブ１に設けた窓８と接点部品２の窓９の位置を合わせて収縮された構造である。
図４は、本考案の接点部品３を用いて配線ケーブル４として構成した図である。
図５は、配線ケーブル４の接点部品を収容するコネクタの図であり、図５に示すように、コネクタのロック片６は接点部品３の窓１０を固定して使用される。【００１０】本考案の実施例は、上述の如き構成からなり、最適な熱収縮チューブの部材を選定し、熱収縮チューブを接点部品に被せたことにより、コネクタの接点部品を収容するハウジングの大きさを若干拡げる必要がある。
【産業上の利用可能性】
【００１１】自動車、電気製品、飛行機、船舶その他電子回路を有する機器のコネクタ接点部品のメス部に利用できる。
【符号の説明】
【００１２】  １：接点部品移動防止ロック用に窓を加工した熱収縮チューブ
２：金属の従来の接点部品
３：熱収縮チューブを装着した接点部品
４：配線ケーブルに接続された熱収縮チューブを装着した接点部品
５：熱収縮チューブを装着した接点部品を実装するコネクタ内部
６：接点部品移動防止のロック箇所
７：コネクタの接点部品のハウジング箇所
８：加工した熱収縮チューブの接点部品移動防止ロック用の窓
９：従来の接点部品の接点部品移動防止ロック用の窓
１０：熱収縮チューブ装着接点部品の接点部品移動防止ロック用の窓
【図１】
0003195441.tif 000003
【図２】
0003195441.tif 000004
【図３】
0003195441.tif 000005
【図４】
0003195441.tif 000006
【図５】
0003195441.tif 000007
(57)【要約】      （修正有） 【課題】首や肩の負担を解消し、前腕の蒸れを解消できて、被装着者が自身で着脱可能な前腕支持補助具を提供する。【解決手段】２枚の台形形状の布からなり、短辺側が５〜１５ｃｍ、長辺側が１０〜３０ｃｍ、長さが５０〜７０ｃｍであって、長辺側に１０〜３０ｃｍの折り返し部分が縫製又は接着固定され、短辺側の１枚の布には一列に１〜５個のボタン穴が１〜５列、他方の布には同数のボタンがボタン穴に対応する位置に配置されたボタン列を有し、ボタン穴及びボタンが１〜５ｃｍ離れた位置に複数列設けられたことを特徴とする前腕支持補助具とした。【選択図】図２
0003195445.tif 000002
【実用新案登録請求の範囲】
【請求項１】
２枚の台形形状の布からなり、短辺側が５〜１５ｃｍ、長辺側が１０〜３０ｃｍ、長さが５０〜７０ｃｍであって、長辺側に１０〜３０ｃｍの折り返し部分が縫製又は接着固定され、短辺側の１枚の布には一列に１〜５個のボタン穴が１〜５列、他方の布には同数のボタンがボタン穴に対応する位置に配置されたボタン列を有し、ボタン穴及びボタンが１〜５ｃｍ離れた位置に複数列設けられたことを特徴とする前腕支持補助具。
【考案の詳細な説明】
【技術分野】
【０００１】
本考案は、脳内出血や脳梗塞等により半身不随になった方の前腕支持補助具に関する。
【背景技術】
【０００２】
通常、脳内出血や脳梗塞等により半身不随になった場合の前腕支持は、市販の三角巾を使用する。
【０００３】
しかしながら、従来の方法では被装着者の首や肩に負担がかかり、前腕全体を覆うので蒸れを生じやすい。また、被装着者が自身で着脱できない不便さもあった。
【先行技術文献】
【非特許文献】
【０００４】
【非特許文献１】一般市販の三角巾
【考案の概要】
【考案が解決しようとする課題】
【０００５】
脳内出血や脳梗塞等により腕が半身不随になった場合、腕が常時下がった状態なので腕の重さで肩が傾き、腕に痛みを伴い内蔵にまで影響が及ぶ。その前腕支持補助として通常、市販の三角巾を使用する。
しかしながら、市販の三角巾は上部を結ぶことにより布幅がせまくなる。そのため被装着者の首や肩に負担がかかる。また、三角巾は前腕全体を覆うので蒸れを生じやすい。
別の課題として、装着に介護者を必要とするため自由に着脱できない点も挙げられる。
【課題を解決するための手段】
【０００６】
本考案は、以上の点を解決するため次のように構成する。
（１）  ２枚の台形形状の布からなり、短辺側が５〜１５ｃｍ、長辺側が１０〜３０ｃｍ、長さが５０〜７０ｃｍであって、長辺側に１０〜３０ｃｍの折り返し部分が縫製又は接着固定され、短辺側の１枚の布には一列に１〜５個のボタン穴が１〜５列、他方の布には同数のボタンがボタン穴に対応する位置に配置されたボタン列を有し、ボタン穴及びボタンが１〜５ｃｍ離れた位置に複数列設けられたことを特徴とする前腕支持補助具
である。
２枚の布はボタン及びボタン穴を位置を合わせて留めることにより、全体として両端に折り返し部を有する１枚布となる。
使うときはボタンで留めた部分を肩にかけ、両側の折り返し部分を前に垂らし、その折り返し部分に腕を通して（図１参照）、肩から固定する。
布は織成、又は不織布がよく、吊したときに切断しない程度の強度があれば良い。
ボタンは通常の５〜１５ｍｍの直径のボタンを使用することが可能である。
ボタンとボタン穴はそれぞれ複数列設けることにより本考案の前腕支持補助具の全長を調整することが出来、個人差を吸収することが出来る。
本考案の寸法をとることにより、子供より大人まで幅広い対象の人に用いることができる。
【考案の効果】
【０００７】
本考案に係る前腕支持補助具は、以下の効果が得られる。
（１）幅広の肩布で作製することにより市販三角巾で生じた首や肩の負担を解消できる。
（２）手首と肘を分けた筒により前腕の蒸れを解消できる。
（３）肩から掛けるように整え片手で操作が可能な形にすることによって被装着者が自身で着脱可能になり、自由に扱えるようになった。
（４）大人から子供までサイズの異なる人についても使用することが出来る。
【図面の簡単な説明】
【０００８】
【図１】本考案の前腕支持補助具を装着した時の見取り図
【図２】本考案の前腕支持補助具の全体見取り図
【図３】本考案の前腕支持補助具の裁断図
【考案を実施するための形態】
【０００９】
以下、本考案の実施の形態を図に基づいて説明する。
【実施例１】
【００１０】
図1は、本考案の前腕支持補助具を装着した図である。以下、装着の仕方を説明する。
1）ショルダーバッグの要領で利き手側の肩からかける。
2）背にかけた輪を脇下から腕に通し、肘あたりに固定する。
3)  前にのばした輪を指先から腕に通し、手首あたりで固定する。
4)  肘、指先の輪が通ったら、肩で長さを調節する。
【実施例２】
【００１１】
図3は、本考案の前腕支持補助具の裁断図の一例である。成人男子の平均的な寸法を記入してある。
以下、裁断について説明する。
1)  布を、肩幅は出来上がり10cm、前腕部は出来上がり15cm、台形に裁断する。
2)  上記のものを2本用意する。
3)  2本とも幅広の側から、腕を通す輪のための折り返し部分を25ｃｍ測り、ミシンで縫製する。
4)  肩の部分にあたる短辺部分に長さの調節用のボタンを取り付ける。1cm間隔で2段とした。
【産業上の利用可能性】
【００１２】
本考案の前腕支持補助具は、介護用品を製造する企業で利用される。
【図１】
0003195445.tif 000003
【図２】
0003195445.tif 000004
【図３】
0003195445.tif 000005
(57)【要約】      （修正有）【課題】ピストンとダンパーシリンダーとの隙間をピストンの膨張を吸収して密着状態を可能にするラジコン車用ダンパーピストン構造を提供する。【解決手段】ラジコン車用のダンパーピストンにおいて、ピストン側面に溝５を形成し、その溝５にオーリング４を装着する。ダンパーピストンに装着するオーリング４の直径をダンパーピストンの直径の５０％以下にする。ダンパーピストンの側面に形成する溝５の深さを、オーリング４を側面の溝５に装着する際の線径の５０％以上とする。ダンパーピストンの側面に形成する溝５の幅をオーリング４を側面の溝５に装着する際の線径と同一の幅にする。ダンパーピストンとダンパーシリンダーの隙間を無くすことが可能となり、ダンパー本来の減衰力を発揮し、且つ安定した減衰力を得ることが可能となる。【選択図】図２
0003195442.tif 000002
【実用新案登録請求の範囲】
【請求項１】
ラジコン車用のダンパーピストンにおいて、ピストン側面に溝を形成し、その溝にオーリングを装着することを特長とするラジコン車用ダンパーピストン構造。
【請求項２】
請求項１の記載したダンパーピストン構造において、ダンパーピストンに装着するオーリングの直径をダンパーピストンの直径の５０％以下にすることを特長とするダンパーピストン構造。
【請求項３】
請求項１の記載したダンパーピストンの側面に形成する溝の深さを、オーリングを側面の溝に装着する際の線径の５０％以上とすることを特長とするダンパーピストン構造。
【請求項４】
請求項１の記載したダンパーピストンの側面に形成する溝の幅をオーリングを側面の溝に装着する際の線径と同一の幅にすることを特長とするダンパーピストン構造。
【考案の詳細な説明】
【技術分野】
【０００１】  本考案はラジコン車用ダンパーに使用するダンパーピストンに関する。
【背景技術】
【０００２】従来のラジコン車用ダンパー構造を図１に示す。図１の１に示す箇所にダンパーピストン（以下ピストン）が使用されている。ピストンは樹脂で形成されており、図１の２に示すピストンに形成された穴をダンパー内部のオイルが通ることによって、ラジコン車が走行する際に発生するタイヤ振動は、ピストンに接続されたダンパーシャフトに伝わり吸収している。
【考案の概要】
【考案が解決しようとする課題】
【０００３】しかしながら、上記背景技術によって記載した振動吸収方法ではピストンの穴を通るオイルのみでは無く、ピストンと図１の３に示したダンパーシリンダーとの隙間を通るオイルの２つのオイル通過経路からダンパーの減衰力が決定されるため、ダンパー本来の減衰力が発揮できす、且つ減衰力が不安定になるため、ピストンとダンパーシリンダーとの隙間を極力小さくすることが必要であった。しかし、ピストンを形成する樹脂材料は大きな熱膨張係数を有するため、ダンパーの温度上昇によるピストン運動の阻害を防止するため、ある一定量の隙間をピストンとダンパーシリンダーに設ける必要があり、密着状態にできない課題があった。本考案はピストンとダンパーシリンダーとの隙間をピストンの膨張を吸収して密着状態を可能にする構造を提供することにある。
【課題を解決するための手段】
【０００４】本考案は図２の４に示すようにピストンの側面に溝を形成してそこにオーリングを装着することでピストンの熱膨張を考慮することなく、ピストンとダンパーシリンダーを密着することが可能となる。
【考案の効果】
【０００５】本考案の適用されたピストンをダンパーに装着することによって、本来ダンパーオイルの通過経路では無かったピストンとダンパーシリンダーとの隙間が無くなり、ピストンに形成された穴のみでオイルが通過すると同時にピストンのガタツキも防止されるため、減衰力が不安定になることも無くなり、ダンパー本来の減衰力を発揮することが期待できる。
【図面の簡単な説明】
【０００６】
【図１】従来のラジコン車用ダンパーピストン構造である。
【図２】この考案のダンパーピストンの図である。
【図３】従来のダンパーピストン構造と本考案のダンパーピストン構造の比較図である。
【考案を実施するための形態】
【０００７】本考案の一実施形態を図３に示す。図３は従来のピストンと本考案のピストンの比較図である。本考案ではピストンとダンパーシリンダーとの隙間がピストンの側面に装着されたオーリングによって塞がれるため、オイルはピストンに形成された穴のみを通過する。
【０００８】「実施形態の効果」
本実施形態によって、ピストンとダンパーシリンダーとの隙間がピストンの側面に装着されたオーリングによって塞がれるため、ダンパーの減衰力が不安定になること無く本来の減衰力を発揮することが可能となる。
【符号の説明】
【０００９】１    ダンパーピストン
２    オイル通過穴
３    ダンパーピストンとダンパーシリンダー間の隙間
４    オーリング
５    ダンパーピストンの側面に形成した溝
【図１】
0003195442.tif 000003
【図２】
0003195442.tif 000004
【図３】
0003195442.tif 000005
(57)【要約】      （修正有）【課題】使用者の手で碗を触れることなく碗を掴んで移動させ、やけどを防止し、衛生的で操作が簡単な碗つかみ器具を提供する。【解決手段】碗つかみ器具は、碗つかみ部１０及び持ち手２０を含む。碗つかみ部は碗受け槽１１を備え、碗受け槽の最上、底は外と貫通し、碗受け槽の一側で外と連通する開口１２を形成する。持ち手は碗つかみ部の外側上で連接し、使用者が手で握るのに用いる。上が広く下が狭くなる逆円錐形の碗に適用する。【選択図】図１
0003195427.tif 000002
【実用新案登録請求の範囲】
【請求項１】
碗つかみ器具において、主に
碗受け槽を備え、該碗受け槽の最上、底が外と貫通し、該碗受け槽の一側で外と連通する開口を形成する碗つかみ部と、
該碗つかみ部の外側上で連接し、使用者の手で握るのに用いる持ち手を含むことを特徴とする碗つかみ器具。
【請求項２】
前記碗つかみ部の碗受け槽は円弧状であることを特徴とする請求項１記載の碗つかみ器具。
【請求項３】
前記該碗つかみ部開口の口径は、該碗受け槽の槽直径より小さいことを特徴とする請求項１記載の碗つかみ器具。
【請求項４】
前記持ち手は該碗つかみ部上で一体連接することを特徴とする請求項１記載の碗つかみ器具。
【請求項５】
前記持ち手は、該碗つかみ部開口と相反する一側上に位置することを特徴とする請求項１記載の碗つかみ器具。
【請求項６】
前記持ち手上には貫通する穿孔を備えることを特徴とする請求項１記載の碗つかみ器具。
【考案の詳細な説明】
【技術分野】
【０００１】
本考案は、食器と付属部品に関するもので、詳しくは碗つかみ器具に係わる。
【背景技術】
【０００２】
碗の用途は主に料理を盛るのに使用する。
【０００３】
碗に盛る料理は通常、高温（例としてスープ）もしくは低温（例として氷）の食物であるが、料理が入った碗を手で直接持つと、やけどや凍傷になってしまうことがある。
【０００４】
一般家庭やレストランで碗を持つ時、指の親指を碗の最上縁に掛け、その他の指で碗の底縁を支え、やけどや凍傷の危険を防止する。しかし、親指を碗の最上縁に掛けても、容易に食べ物に指が当たってしまい、衛生的でない。
【０００５】
その他、レストラン専用のやけど防止手袋がある。それは断熱効果を備え、やけどを防止する。しかし、手袋をはめると、手指の動きは不自由になり、しっかりと握ることができず、碗を倒したり、もしくは碗を手から滑り落としてしまう。
【考案の概要】
【考案が解決しようとする課題】
【０００６】
解決しようとする問題点は、碗を手で持つとやけどや凍傷の危険があること、また手に食べ物が当たると衛生的でない点である。
【課題を解決するための手段】
【０００７】
本考案は、碗つかみ部及び持ち手を含む。該碗つかみ部は碗受け槽を備え、該碗受け槽の最上、底は外と貫通し、該碗受け槽の一側で外と連通する開口を形成する。該持ち手は該碗つかみ部の外側上で連接し、使用者が手で握るのに用いる。本考案は上が広く下が狭くなる逆円錐形の碗に適用することを最も主要な特徴とする。
【考案の効果】
【０００８】
本考案の碗つかみ器具は、使用者の手で碗を触れることなく碗を掴んで移動させ、やけどを防止し、衛生的で操作が簡単であるという利点がある。
【図面の簡単な説明】
【０００９】
【図１】本考案の実施例の立体組立外観図である。
【図２】図１の実施例の使用状態指示図である。
【図３】図２の３−３切断線の断面図である。
【図４】図２の４−４切断線の断面図である。
【考案を実施するための形態】
【００１０】
公知の碗を手で持つとやけどや凍傷の危険があること、また食べ物が当って衛生的でない問題を改善するため、本考案は碗つかみ器具を提供する。それは碗つかみ部及び持ち手を含む。該碗つかみ部は碗受け槽を備え、該碗受け槽の最上、底は外と貫通し、該碗受け槽の一側には外界と連通する開口を形成する。該持ち手は該碗つかみ部の外側上に連通し、使用者の手部が握るのに用いる。本考案は上が広く下が狭い逆円錐形の碗に適用し、使用者が手で触れる必要がない状態で、碗を持ち上げて移動させ、同時にやけどを防止し、衛生的で操作しやすい目的を達成する。
【実施例】
【００１１】
本考案の特徴を更に理解するために、実施例を挙げ、図式と共に詳細に説明する。
【００１２】
図１から図４に示すとおり、本考案の良好な実施例が提供する碗つかみ器具１００は、一体で成形し、主に碗つかみ部１０及び持ち手２０を含む。そのうち、
【００１３】
図１に示すとおり、該碗つかみ部１０は円弧状の碗受け槽１１を備える。該碗受け槽１１の最上、底は外へ貫通し、該碗受け槽１１の一側には外界へ連通する開口１２を形成し、且つ該開口１２の口径は該碗受け槽１１の槽直径より小さい。
【００１４】
図１に示すとおり、該持ち手２０は細長状で、その一端は一体で該碗つかみ部１０上に連接し、該開口１２と相反する一側上に位置して、使用者が握るのに用いる。該持ち手２０上には貫通した穿孔２１を備える。
【００１５】
上述は即ち、本考案の良好な実施例が提供する碗つかみ器具１００の各部品及びその組立方式の介紹であり、続いて、使用の特徴を以下に説明する。
【００１６】
先ず、図２から図４に示すとおり、本考案の碗つかみ器具１００を、上が広く下が狭い外径の逆円錐形の碗９０を支えて掴みたい時、使用者の手部９９は本考案碗つかみ器具１００の持ち手２０上（図２参照）を握る。次に本考案の碗つかみ器具１００の開口１２を該碗９０に向け、該碗９０の底部に近い周辺を開口１２から該碗つかみ部１０の碗受け槽１１内に進ませ、次に該碗つかみ部１０を碗９０の上方へ移動させ、該碗受け槽１１の内壁の少なくとも三点で該碗９０の外周辺上（例として図３、４図参照）に接触させ、該碗９０を共に上に持ち上げる。
【００１７】
このようにすることで、本考案は使用者の手指、手のひらを触れることなく、碗を予定位置へ移動させて置くことができ、同時にやけど防止し、衛生的で簡単に使用する目的を達成する。
【００１８】
その他、図１に示すとおり、本考案の碗つかみ器具１００の該持ち手２０上には穿孔２１を備える。該穿孔２１を壁面の凸起物（例として釘）上に直接掛けるか、もしくは該穿孔２１に紐（図未提示）を通し、該紐を壁面のフック上に掛けることで同様の効果を得る。
【００１９】
その他、本考案の該碗受け槽の槽直径は、碗直径の大きさに基づいて設計するが、碗の形状は必ず上方開口端が大きく、下方密閉端が小さい逆円錐形でなければならず、それによって該碗受け槽の槽直径は該碗最大の外径より小さくするだけで、碗の下端から嵌め込み、上へ持ち上げることで碗を持ち上げる目的を達成する。
【００２０】
以上のとおり、本考案が提供するのは、良好な実施例に過ぎず、本考案の請求範囲を制限するものではない。また、本技術領域内の関連技術者が本考案に基づいて行った同じ変化は、すべて本考案の請求範囲に含まれる。
【符号の説明】
【００２１】
１０        碗つかみ部
１００        碗つかみ器具
１１        碗受け槽
１２        開口
２０        持ち手
２１        穿孔
９０        碗
９９        手部
【図１】
0003195427.tif 000003
【図２】
0003195427.tif 000004
【図３】
0003195427.tif 000005
【図４】
0003195427.tif 000006
(57)【要約】      （修正有）【課題】指サックを一つずつ取り出せる指サック収納ケースを提供する。【解決手段】上部に指サック取り出し口２を設けた収納ケース１内に、互い違いに折り曲げて重ねた指サックを収納し、重ねた指サックの最上部指サックの縁部分３を指サック取り出し口２から出すことにより指サックを一つずつ取り出すことが可能になる。【選択図】図１
0003195422.tif 000002
【実用新案登録請求の範囲】
【請求項１】
上部に取り出し口を設けたケース内に交互に重ねて折り曲げた指サックを入れ、取り出し口から指サックを一つずつ取り出せることのできる指サック収納ケース。
【考案の詳細な説明】
【技術分野】
【０００１】  本件は指サックが収納された収納ケースに関するものである。
【背景技術】
【０００２】  近年厚さの薄い指サックが販売されているが、袋に無造作に収納されているものが殆どである。指サックを袋から取る際に２つ以上同時に取ってしまったり、指サックの先端部分に指が触れてしまったりする場合がある。
【考案の概要】
【考案が解決しようとする課題】
【０００３】  容易に指サックを一つずつ取り出せる収納ケースを提供する。
【課題を解決するための手段】
【０００４】  上部に指サック取り出し口を設けた収納ケース内に、指サックを互い違いに折りたたんで収納し、指サックを一つずつ取り出せるようにした。
【考案の効果】
【０００５】  指サックを一つずつ容易に取り出すことができる。指サックの縁の部分から取り出せるように収納ケース内に指サックを収納すると、指サックの先端部分に指が触れることなく指サックを取り出すことが可能となる。指サックの先端部分を清潔に保ちたい場合には有効である。
【図面の簡単な説明】
【０００６】
【図１】収納ケースの斜視図である。
【図２】重ねた指サックの断面図である。
【図３】重ねた指サックの断面図である。
【図４】重ねた指サックの断面図である。
【考案を実施するための形態】
【０００７】  まず上面に指サック取り出し口を設けた収納ケースを用意する。収納ケースの形状は特に断定しない。四角い箱状のものが好ましいが、例えば円筒状にしても可能である。この収納ケースは指サックを入れるための入口を設ける必要がある。指サックの入口は収納ケースのどの面に設けても良い。
次に収納する指サックを用意する。一つめの指サックをその先端部分を右に縁の部分を左向きに置く。二つめの指サックを一つ目の指サックと逆向きにして、一つ目の指サックの先端部分の方から略半分が隠れるように二つめの指サックを一つめの指サックの上に重ねて置く。つまり一つめと二つめの指サックの先端部分が重なるようになる。このとき指サックの先端部分どうしを重ねることにより、指サック内の空気を追い出しながら指サックを重ねて行く事が可能である。逆に指サックの縁部分を重ねてしまうと指サック内に空気が溜まりやすく指サックを重ねるのが困難になる。次に二つ目の指サックの先端部分に上から被せるようにして一つめの指サックの縁の部分を折り曲げる。三つめの指サックを一つめの指サックと同じ向きにして、その先端部分を折り曲げた一つめの指サックの縁に合わせるようにして重ねる。二つめの指サックを折り曲げて三つめの指サック先端部分の上に重ねる。その上に二つめの指サックと同じ向きの四つめの指サックを重ねる。この作業を繰り返して収納する指サックを用意する。最後に重ねた最上部の指サックの縁部分を、収納ケースの指サック取り出し口から出るようにして重ねた指サックを収納ケース内に収める。収納ケースから出ている指サックを取り出すと次の指サックが収納ケースから出てくる。
重ねた指サックを上下逆にして収納ケース内に収め、指サックの先端部分から取り出すようにすることも可能である。
収納ケースの底面に予備穴を設けておくと、指サックが万が一収納ケース内で詰まりが生じて取り出しにくい場合、予備穴から棒状のものを差し入れて指サックを突き上げることで指サックを取り出すことが可能になる。
【実施例】
【０００８】  以下、添付図面に従って実施例を説明する。図１は本発明の収納ケースの斜視図である。本実施例の収納ケース１は四角形である。収納ケース１の上部には指サック取り出し口２が設けてある。収納ケース１内には重ねた指サックが収納されており、指サック取り出し口２からは重ねた指サックの最上部の指サックの縁部分３が出ている。次に指サックの重ね方を説明する。まず重ねた指サックの断面図である図２のように一つめの指サック４と二つめ指サック５の夫々の先端部分を左右互い違いに重ねる。次に重ねた指サックの断面図である図３のように一つめの指サック４を二つめの指サック５の上に重なるように折り曲げる。三つめの指サック６を図３のように折り曲げた一つめの指サック４の上に重ねる。さらに重ねた指サックの断面図である図４のように二つめの指サック５を三つめの指サック６の上に折り曲げて重ねる。その上に四つめの指サック７を重ねる。この作業を繰り返して指サックを重ねる。最後に重ねた指サックの縁部分を図１のように収納ケース１の指サック取り出し口２から出して、重ねた指サックを収納ケース内に収める。
【符号の説明】
【０００９】  １  収納ケース
２  指サック取り出し口
３  指サックの縁部分
４  一つめの指サック
５  二つめの指サック
６  三つめの指サック
７  四つめの指サック
【図１】
0003195422.tif 000003
【図２】
0003195422.tif 000004
【図３】
0003195422.tif 000005
【図４】
0003195422.tif 000006
(57)【要約】      （修正有）【課題】首に掛けたタオルが、ジョギング中、ウォーキング中、現場作業中にずれ落ちないファスナー付タオルを提供する。【解決手段】通常の長方形のタオル１において、二つの長手辺の一方側の両端寄りに、約十数センチメートルの長さでファスナー４を設けたことを特徴とする。【選択図】図３
0003195430.tif 000002
【実用新案登録請求の範囲】
【請求項１】
通常の長方形のタオルを想定した場合において、二つの長手辺の一方側の両端寄りに、約十数センチメートルの長さでファスナーを設けたことを特徴とするファスナー付タオル。
【考案の詳細な説明】
【技術分野】
【０００１】  本考案は、タオルに関するものである。
【背景技術】
【０００２】  従来、タオルは吸湿性に優れ、水分、湿気、汗、汚れなどを吸い取るものとして日常的に多く使われている。
ジョギング中、ウォーキング中、現場作業中など汗を掻くようなことをするときに多くの人が首にタオルをかけている姿をよく目にする。
なお、タオルの長手側の一方の先端にボタンを設け、そこにできた隙間に反対側の先端を通すものが知られている（実用新案登録文献１参照）。
【先行技術文献】
【実用新案登録文献】
【０００３】
【実用新案登録文献１】
実用新案登録第３１４５０７６号
【考案の概要】
【考案が解決しようとする課題】
【０００４】  ジョギング中、ウォーキング中、現場作業中など汗を掻くようなことをするときに多くの人が首にタオルをかけている姿をよく目にするが、首にかけたタオルは動いているとタオルの端部の左右どちらかが徐々に下がり、落ちてしまうことがある。
現場作業中には両手が離せない状態が多く、作業に集中していると首に掛けたタオルが、ずれていることに気づかず、落ちてしまうことがある。
実用新案登録文献１においては、狭い隙間にタオルを通すためタオルを細くなるようにたたまなければならず、汗が拭きにくい。
本考案は、以上の問題点を解決するためになされたものである。
【課題を解決するための手段】
【０００５】  通常の長方形のタオルを想定した場合において、二つの長手辺の一方側の両端寄りに、約十数センチメートルの長さでファスナーを設ける。
以上の構成よりなるファスナー付タオルである。
【考案の効果】
【０００６】  本考案は、ジョギング中、ウォーキング中、現場作業中など汗を掻くようなことをするときに多くの人が首にタオルをかけている姿をよく目にするが、首にかけたタオルは動いているとタオルの端部の左右どちらかが徐々に下がり、落ちてしまうことがあるが、タオルに設けているファスナーを閉めれば絶対に落ちることがない。
現場作業中に、首に掛けたタオルはファスナーを閉めることで絶対に落ちることがないため、安心して作業に集中することができるうえ、作業効率も上がる。
暑い季節には汗を吸い、寒い季節にはマフラー代わりとして防寒になる。
肩に荷を担ぐときには、担ぐ肩にタオル面を当てれば、肩の保護になる。
また、頭から被れば日除けになり、アレンジによりファッショナブルに楽しむことができる。
【図面の簡単な説明】
【０００７】
【図１】本考案の平面図
【図２】本考案を首にかけた状態を示す正面図
【図３】本考案を首にかけファスナーを閉めた状態を示す正面図
【図４】本考案を頭から被った状態を示す正面図
【図５】本考案を肩に当て荷を担いだ状態を示す正面図
【図６】本考案をアレンジして首にかけた状態を示す正面図
【考案を実施するための形態】
【０００８】  以下、本考案の実施の形態を説明する。
通常の長方形のタオル（１）を想定した場合において、二つの長手辺の一方側（２）の両端寄り（３）に、約十数センチメートルの長さでファスナー（４）を設ける。
本考案は以上のような構造である。
本考案を使用するときは、本考案を首の後方から掛け、胸のところでファスナー（４）を閉める。
現場作業中に、首に掛けたタオル（１）はファスナー（４）を閉めることで絶対に落ちることがないため、安心して作業に集中することができるうえ、作業効率も上がる。
暑い季節には汗を吸い、寒い季節にはマフラー代わりとして防寒になる。
肩に荷（５）を担ぐときには、担ぐ肩にタオル（１）面を当てれば、肩の保護になる。
また、頭から被れば日除けになり、アレンジによりファッショナブルに楽しむことができる。
なお、ファスナー（１）は面ファスナー、ボタン、フックなどでも代用が可能である。
【符号の説明】
【０００９】  １  タオル、  ２  長手辺の一方側、  ３  両端寄り、  ４  ファスナー、  ５  荷
【図１】
0003195430.tif 000003
【図２】
0003195430.tif 000004
【図３】
0003195430.tif 000005
【図４】
0003195430.tif 000006
【図５】
0003195430.tif 000007
【図６】
0003195430.tif 000008
(57)【要約】      （修正有）【課題】ワンボックスカーを除く車高の高くない乗用車のドアミラーに、広角鏡をドアミラー内へ新たに取り付けて、走行中の安全確認がより容易にでき、気持ちも楽になる広角鏡付きの広角二段型ドアミラーを提供する。【解決手段】車高の高くない乗用車のドアミラーの鏡取り付け枠１の枠内に、横長の個別枠を２個設け上下二段にして、ドアミラーの死角を含めた車体側面まで広範囲に映り見える広角鏡２と、ドアミラーの主鏡３とを、二段構えにして取り付け一体化とし、ドアミラーハウジング４内に取り付け、個形態の広角二段型のドアミラーとする。これで、死角を含めた広範囲の車の左右後方や後側方をドアミラー内で同時に映し見ることができ、視界も広がり、主鏡と併せて走行中の安全確認がより容易にできる。【選択図】図３
0003195431.tif 000002
【実用新案登録請求の範囲】
【請求項１】
自動車で、トラックやワンボックスカーを除いた車高の高くない乗用車のみに取り付けする、それ専用に形成したドアミラーであり、車高の高くない乗用車の現ドアミラーの鏡が１個使いに対し、２個使いの構成に変えてあり、ドアミラーの鏡取り付け枠は、横長の多角形や楕円形で、枠内に個別の枠を２個設けて上下二段にしてあり、その一つの枠にはドアミラーの主鏡が取り付けてあり、もう一つの枠は、その鏡によるところの死角方向へ、向きを適宜に合わせて形成してあり、その枠に横長の多角形や楕円形の、車体下部や車体側方の部分死角ではない、広範囲の死角を含めた車体側面までが映り見える広角鏡が取り付けてあり、それらの鏡は鏡取り付け枠に二段構えで一体化となっており、ドアミラーハウジング内に直付け、または、内部の駆動装置類に結合し取り付けしてあり、個の形態となっている。このように、それぞれを組合せ形成し個形態としているところを特徴とした、車高の高くない乗用車の専用ドアミラーである、広角二段型ドアミラー
【考案の詳細な説明】
【技術分野】
【０００１】  本考案はトラックやワンボックスカーを除いた、車高の高くない乗用車専用のドアミラーに関するものである。
【背景技術】
【０００２】  車高の高くない乗用車は、その高さ故に、走行中の左右後方や後側方の安全確認をする場合、設置されている数少ない鏡の他に、大事な直接の目視確認をしている場合も多々あり、その分見落としも起き易く、死角に関して絶大な注意を払っており、それだけに安易ではなく、労力の負担も大きい。
【考案の開示】
【考案が解決しようとする課題】
【０００３】  車高の高くない乗用車専用のドアミラーに、そのドアミラーの死角を含めた、広範囲に映り見える広角鏡を新たに取り付けて、死角もそのドアミラー内で映り見え補助することができ視界も大幅に広がる、個形態であるドアミラーを形成し提供する。こうする事で、走行中の安全確認をより容易にして、前述の問題点を解決しようとするものである。
【課題を解決するための手段】
【０００４】  本考案は、車高の高くない乗用車の現ドアミラーの鏡が１個使いであるのを、２個使いの構成に変えて、ドアミラーの鏡取り付け枠は、枠内に個別の枠を２個設け上下二段にして、その一つの枠にはドアミラーの主鏡を取り付け、もう一つの枠は、その鏡によるところの死角方向へ向きを適宜に合わせて形成し、その枠に死角も含めた車体側面まで広範囲に映り見えるような、多角形や楕円形の広角鏡を取り付け、二段構えで一体化とし、ドアミラーハウジング内に取り付けて、ドアミラー内で死角も同時に映り見え視界も広がる、個形態である、広角鏡付きの二段型のドアミラーとする。こうする事で、このドアミラーのみでも乗用車の左右や後方の死角の補助が可能となり視界も広がることで、前述の問題点を大幅に改善できている。
【考案の効果】
【０００５】  本考案の広角二段型ドアミラーは、大半の死角も含めた車体側面までの広い範囲を、同一方向から常にドアミラー内で同時に映し見ることができる。左折、右折、車線変更、合流の時などの安全確認がより容易にできる。運転に関して労力の軽減となる。走行中の事故防止や更なる安全確保の向上に役立つ。
【考案を実施するための最良の形態】
【０００６】  ドアミラーの鏡取り付け枠は、横長の多角形や楕円形であり、枠内に個別の枠を２個設けて上下二段にして、その枠の一つは、ドアミラーの主鏡の取り付けによる死角の死角方向へ向きを適宜に合わせて形成し、例えば、図２に見るように、死角方向へ適宜に向きを合わせ形成した上段の個別枠５に、車体下部や車体側方の部分死角ではない、広範囲の死角を含めた車体側面までも映り見える広角鏡２を、下段の個別枠６にはドアミラーの主鏡３を、接着剤や成型的、機械的手段で取り付け二段構えにして一体化とする。それらの枠の上下と鏡の取り付け設定は、上下逆でも良い。広角鏡には、横長で多角形や楕円形で湾曲した曲面鏡や凸面鏡を、場合によっては凹面鏡などによるものでも良い。
鏡取り付け枠への、それらの鏡の取り付けは、その枠に固定の他に取り付け位置角度の可変可能な機構を設けて、成型的手段や機械的手段で取り付けても良い。鏡の取付けが固定式の場合は、鏡の角度可変は鏡取り付け枠の枠ごと可変可能な機構でも良い。角度可変には手動式、電動式のいずれでも良い。これら形成されたものをドアミラーハウジング４内に直付け、または内部の駆動装置類に結合し取り付けする。また、ドアミラーの主鏡を直接、鏡取り付けケースへはめ込むタイプのものも同様に、その開口部の枠は横長で多角形や楕円形で個別枠を２個設けて二段にし、例えば、枠組みの上段の枠は死角方向に適宜に向きを合わせて形成し、そこに広角鏡を、下段の枠にはドアミラーの主鏡を、前述同様な手段で取り付け一体化とする。それらの枠と鏡の取り付け設定は、上下逆でも良い。
【実施例】
【０００７】  図面に従って一実施例を説明してみる。例えば図１は、鏡取り付け枠１が枠内に２個の個別枠を設けてあり、上段の個別枠５は死角方向に向きを合わせ形成されている。図２は、鏡取り付け枠１の上段の個別枠５へ、死角と車体側面まで映り見える広角鏡２が、下段の個別枠６にはドアミラーの主鏡３が、それぞれ接着剤や成型的、機械的手段などで取り付けて一体化している。図３では、その形態を保持しつつドアミラーハウジング４内に取り付けている。【０００８】  本考案の広角二段型ドアミラーは、上述のような構成から成るものであるから、ドアミラー内で死角も同時に確認ができ視界も広がることで、走行中の安全確認がより容易となり、労力の軽減と安全確保の向上もはかれるので常備用として使用出来る。
【図面の簡単な説明】
【０００９】
【図１】左側用の鏡取り付け枠が枠内の個別枠で二段になっている斜視図。
【図２】左側用の鏡取り付け枠に鏡が取り付けてあるところの斜視図。
【図３】左側用の広角二段型ドアミラーの斜視図。
【符号の説明】
【００１０】１  鏡取り付け枠
２  広角鏡
３  ドアミラーの主鏡
４  ドアミラーハウジング
５  上段の個別枠
６  下段の個別枠
７  支柱
【図１】
0003195431.tif 000003
【図２】
0003195431.tif 000004
【図３】
0003195431.tif 000005
(57)【要約】      （修正有）【課題】水とパテ粉が均一に攪拌して練り上げることができるパテ練り容器を提供する。【解決手段】水とパテ粉を均一に混ぜ合わせるための半球形態状の容器Ａである。同容器Ａ内の水とパテ粉をヘラで攪拌する際、同容器Ａを安定して自立固定させるため、その容器の外側には同半球形態状容器を覆う外枠Ｂを取り付けて固定させる。さらにヘラで攪拌を容易にするために同容器Ａに取っ手Ｃを取り付ける。【選択図】図１
0003195413.tif 000002
【実用新案登録請求の範囲】
【請求項１】
異なる水とパテ粉を均一に混ぜ合わせる半球形態状容器である。同容器内の水とパテ粉をヘラで攪拌する際、同容器を安定して自立固定させるため、その容器の外側には同半球形態状容器を覆う外枠を取り付けて固定させる。さらに、ヘラで攪拌を容易にするために同容器を固定させると共に、水とパテ粉の飛散の防止のために、同容器に取っ手を取り付けことを特徴とするパテ練り容器。
【考案の詳細な説明】
【技術分野】
【０００１】この考案は、水とパテ粉を均一に混ぜ合わせて攪拌するためのパテ練り容器である。
【背景技術】
【０００２】パテ練りは、洗面器や調理用ボウル等を代用して行われているが、洗面器は底部が平らであり、調理用ボウルは半球形に近いものの同ボウルは底部が平らになって、自立するようになっている。そのため洗面器や調理用ボウルを使用してパテ粉と水を混ぜて攪拌する際、容器の底部と側面の境目にパテ粉が付着して溜まりパテ練りが不均一になるので、その改善をしたものである。
【考案の概要】
【考案が解決しようとする課題】パテ粉と水をヘラで攪拌して練る際、洗面器等のよう底部が平らになっている容器を用いれば、側面と底部の境目にパテ粉が付着して固まり、均一に混ぜて練り合わせることができない。さらに、ヘラですくうとき、底部の境目にパテ粉が付着して固まれば、次の施工に支障が出る。
【課題を解決するための手段】底部を半球体の形状にして底部と側面の境目をなくしてやれば、境目にパテ粉が付着して固まることはなく、水とパテ粉が均一に攪拌して練り上げることができる。
また、半球体の容器内をヘラで混ぜる際、同容器を安定させるために、同容器を外側から覆った外枠を取り付けて固定させた上、同容器に取っ手を取り付けた。
【考案の効果】パテ粉と水を混ぜて攪拌する際、底部と側面の間に境目がないので、パテ粉の塊ができなくなり、ヘラで均一に混ぜることができた上、次の施工にも支障がなくなる。
【図面の簡単な説明】
【図１】横から見た図
【図２】上から見た図図１．図２のＡは、底部と側面の境目をなくすために、半球体状の容器にした。
図１、図２のＢは、半球体容器の安定や自立固定させるため、同容器の外側に外枠を取り付けた。
図１、図２のＣは、手で同容器を固定し、同容器内のパテ練り攪拌をしやすいようにした。
【考案を実施するための形態】
パテ練を均一にするため、パテ練り容器の底部と側面の境目をなくして、パテ練り容器全体を半球形態にした。
【図１】
0003195413.tif 000003
【図２】
0003195413.tif 000004
【手続補正書】
【提出日】平成26年9月1日(2014.9.1)
【手続補正１】
【補正対象書類名】実用新案登録請求の範囲
【補正対象項目名】全文
【補正方法】変更
【補正の内容】
【実用新案登録請求の範囲】
【請求項１】
水とパテ粉を均一に混ぜ合わせることにおいて、半球形態状の容器であり、同容器内の水とパテ粉をヘラで攪拌する際、同容器を安定して自立固定させるため、その容器の外側には同半球形態状容器を覆う外枠を取り付けて固定させ、さらにヘラで攪拌を容易にするために同容器に取っ手を取り付けることを特徴とするパテ練り容器。